(57)【要約】      （修正有）【課題】ＵＳＢポートの金属性可撓性シートが、フラッシュドライブの金属製ハウジングと接触してしまい、ＵＳＢポートを含む電子装置が短絡する現象を解決するための信号伝送用コネクタを提供する。【解決手段】信号伝送用コネクタ１０は、金属製ベース１００及び回路基板２００を含む。金属製ベースは、底板１１０、第１側板１２０及び第２側板１３０を含む。底板は、第１面１１１、相対する第２面１１２及び第１面と第２面との間に縁面１１３を含む。第１側板及び第２側板は、第１面に結合される。縁面の延長面は、第１側板及び第２側板と交わる。底板、第１側板及び第２側板は纏まって凹部１５０を形成する。凹部内に配置される回路基板は、第１電気接続部２３０が配置される第３面２１０、及び相対する第４面２２０を含む。縁面における第２面から離れた第１側縁１１３ａと第２面との間の第１距離は、第３面と第２面との間の第２距離未満である。【選択図】図２
0003187731.tif 000002
【実用新案登録請求の範囲】
【請求項１】
互いに相対する第１面及び第２面並びに当該第１面及び当該第２面の間につながる縁面を有する底板と、前記第１面の相対する２辺にそれぞれつながるとともに前記縁面の延長面とそれぞれ交差する第１側板及び第２側板とを備えて、当該底板、当該第１側板、及び当該第２側板が協調して凹部を形成する金属製ベースと、
第１電気接続部が配置された第３面と、前記底板と対向する第４面とを互いに相対するように備えて、前記縁面における前記第２面から離れた方の第１側縁の少なくとも一部と前記第２面とが離間する第１距離が、前記第３面と前記第２面とが離間する第２距離未満となるように前記凹部の内部に配置された回路基板と、
を備えたことを特徴とする信号伝送用コネクタ。
【請求項２】
前記第１距離は、前記第４面と前記第２面とが離間する第３距離以下であることを特徴とする請求項１に記載の信号伝送用コネクタ。
【請求項３】
前記回路基板における前記第３面と前記第４面との間につながる側面と対向するように前記第１側板と前記第２側板との間に配置される閉塞部を有する電気絶縁体を更に備えたことを特徴とする請求項１に記載の信号伝送用コネクタ。
【請求項４】
前記側面の延長面は、前記第１側板及び前記第２側板と交差することを特徴とする請求項３に記載の信号伝送用コネクタ。
【請求項５】
前記電気絶縁体は、少なくとも一部が前記第１面と前記第４面との間に配置される結合部を更に有することを特徴とする請求項３に記載の信号伝送用コネクタ。
【請求項６】
前記底板は、少なくとも１つの第１位置決め構造部を有し、
前記結合部は、前記第１位置決め構造部と着脱可能に係合される少なくとも１つの第２位置決め構造部を有する
ことを特徴とする請求項５に記載の信号伝送用コネクタ。
【請求項７】
前記回路基板は、前記第３面と前記側面とが交差する第２側縁を有し、
前記閉塞部は、前記第２側縁と接触する
ことを特徴とする請求項３に記載の信号伝送用コネクタ。
【請求項８】
前記閉塞部は、前記第２面と相対するとともに前記第３面と互いに同一平面上にある上面を有することを特徴とする請求項７に記載の信号伝送用コネクタ。
【請求項９】
前記底板は、前記底板に固定配置される前記回路基板の第１貫通孔に対し挿通可能な突出管を有することを特徴とする請求項１に記載の信号伝送用コネクタ。
【請求項１０】
前記金属製ベースの上に配置されて、前記回路基板の一部を前記第１電気接続部が外部に向けて露出するように被覆する金属製カバーを更に備えたことを特徴とする請求項９に記載の信号伝送用コネクタ。
【請求項１１】
当該信号伝送用コネクタの締付部品が、前記突出管と合致する前記金属製カバーの第２貫通孔に挿通されて、前記突出管の内部に固定配置されることによって、前記金属製ベースが前記金属製カバーに固着されることを特徴とする請求項１０に記載の信号伝送用コネクタ。
【請求項１２】
前記金属製ベースは、
前記第１側板と前記第２側板との間で前記底板とともに前記凹部を形成する背面板と、
前記回路基板における前記第３面と前記側面とが交差する第２側縁に接するように設けられて、前記側面の少なくとも一部を外部に向けて露出する開口部と、を更に有し、
当該背面板と当該開口部とは、相対する２面をなして、前記凹部を画成することを特徴とする請求項１に記載の信号伝送用コネクタ。
【請求項１３】
前記開口部の上に配置されるとともに、少なくとも一部が前記第１面と前記第３面との間に配置される電気絶縁体を更に備えたことを特徴とする請求項１２に記載の信号伝送用コネクタ。
【請求項１４】
前記電気絶縁体の一部は、前記第１面と前記第３面との間の前記開口部と同一平面上で、前記凹部の前記開口部に向けて延在することを特徴とする請求項１２に記載の信号伝送用コネクタ。
【請求項１５】
前記電気絶縁体は、前記第２面に相対するとともに前記第３面と同一平面上にある上面を有することを特徴とする請求項１４に記載の信号伝送用コネクタ。
【請求項１６】
前記第１電気接続部は、ユニバーサルシリアルバス（ＵＳＢ）を形成する複数の電極を有することを特徴とする請求項１に記載の信号伝送用コネクタ。
【請求項１７】
前記第１距離が前記第２距離未満である前記第１側縁の一部の長さは、前記電極の１つの幅以上であることを特徴とする請求項１６に記載の信号伝送用コネクタ。
【請求項１８】
前記縁面における前記第２面から離れた方の前記第１側縁の全体と、前記第２面とが、前記第２距離未満である前記第１距離だけ離間していることを特徴とする請求項１に記載の信号伝送用コネクタ。
【考案の詳細な説明】
【技術分野】
【０００１】
本考案は、信号伝送用コネクタ、特に金属製ハウジングを含む信号伝送用コネクタに関する。
【背景技術】
【０００２】
技術が向上するにつれて、電子情報を保存し、担持するために使用されるソフトディスク及びコンパクトディスクは、ユニバーサルシリアルバス（ＵＳＢ）インタフェースと一体化したフラッシュドライブに取って代わられるようになった。
フラッシュドライブは、小型で、ホットスワップでき、伝送速度が速く、記憶容量が大きいため、消費者がデータを保存するのに、フラッシュドライブを採用するのが好ましい。
【０００３】
フラッシュドライブの関連技術は成熟したため、各製造者によって製造された製品は、似通っている。その結果、消費者は、フラッシュドライブの性能だけでなく、フラッシュドライブの外観、品質及び使い勝手についても検討する。
【０００４】
一般的に、金属材料の品質は、プラスチック材料より優れているので、消費者は、金属製ハウジングを含むフラッシュドライブを好む傾向がある。
金属製ハウジングを含むフラッシュドライブのＵＳＢプラグが、ＵＳＢポートに差し込まれる際に、ＵＳＢポートを含む電子装置を短絡させるようにＵＳＢポートの金属製可撓性シートが金属製ハウジングに接触して、消費者に衝撃を与えることがある。そのために、どのようにしてフラッシュドライブとＵＳＢポートとの電気的接続に影響を与えずにフラッシュドライブの品質を維持するかが、製造者らが解決しようとする課題となっている。
【考案の概要】
【考案が解決しようとする課題】
【０００５】
本開示は、ＵＳＢポートを含む電子装置を短絡させるように、ＵＳＢポートの金属性可撓性シートが、フラッシュドライブの金属製ハウジングと接触してしまうという課題を解決するための、信号伝送用コネクタに関する。
【課題を解決するための手段】
【０００６】
本開示の実施形態は、金属製ベース及び回路基板を備える信号伝送用コネクタを提供する。金属製ベースは、底板、第１側板及び第２側板を含む。底板は、第１面、第２面及び縁面を含む。第１面と第２面は、互いに相対する。縁面は、第１面と第２面との間につながる。第１側板及び第２側板は其々、第１面の相対する２辺につながる。縁面の延長面は、第１側板及び第２側板と交差する。底板、第１側板及び第２側板は纏まって凹部を形成する。凹部内に配置される回路基板は、互いに相対する第３面と第４面を含む。第４面は、底板と対向する。第１電気接続部は、第３面に配置される。縁面における第２面から離れた第１側縁の少なくとも一部と第２面は、第１距離だけ分離される。第３面と第２面は、第２距離だけ分離される。第１距離は、第２距離未満である。    
【０００７】
本開示の信号伝送用コネクタによれば、金属製可撓性シートと第２面との距離は、第４面と第２面との間の距離より長く、第１側縁と第２面との間の距離は、第４面と第２面との間の距離以下である。
確実に、信号伝送用コネクタが電気接続ポートに差し込まれる際に、電気接続ポートの金属製可撓性シートは、金属製ベースと接触することなく、電気絶縁体の側縁の閉塞部とのみ接触する。その結果、金属製可撓性シートが金属製ベースと電気的に接触することから生じる、電気接続ポートの短絡が避けられる。
【０００８】
本開示は、以下の詳細な記述から、より十分に理解されるようになるが、図面は、説明のみを目的としており、本開示を限定するものではない。
【図面の簡単な説明】
【０００９】
【図１】本開示の第１実施形態による信号伝送用コネクタの斜視図である。
【図２】図１の概略分解図である。
【図３】電気接続ポートに完全に差し込まれていない状態の図１の信号伝送用コネクタの概略断面図である。
【図４】電気接続ポートに完全に差し込まれた状態の図１の信号伝送用コネクタに関する概略断面図である。
【図５】本開示の第２実施形態による信号伝送用コネクタの概略分解図である。
【図６】図５で組立てられた信号伝送用コネクタの概略断面図である。
【図７】本開示の第３実施形態による信号伝送用コネクタの概略断面図である。
【図８】本開示の第４実施形態による信号伝送用コネクタの概略断面図である。
【図９】電子装置へと枢動された図１の信号伝送用コネクタの斜視図である。
【図１０】電子装置へと枢動された図１の信号伝送用コネクタの斜視図である。
【図１１】本開示の第５実施形態による信号伝送用コネクタの概略分解図である。
【図１２】本開示の第６実施形態による信号伝送用コネクタの概略分解図である。
【考案を実施するための形態】
【００１０】
以下の詳細な記述では、開示された実施形態を完全に理解させるために、説明の目的で、多数の具体的な細部について記載する。しかし、当然ながら、１つ又は複数の実施形態が、こうした具体的な細部なしに実施されることもある。他の例では、周知の構造及び装置は、図面を簡素化するために概略的に示される。
【００１１】
図１乃至図３を参照されたい。図１は、本開示の第１実施形態による信号伝送用コネクタの斜視図である。図２は、図１の概略分解図である。図３は、電気接続ポートに完全に差し込まれていない状態の図１の信号伝送用コネクタの概略断面図である。
【００１２】
信号伝送用コネクタ１０は、この実施形態では、金属製ベース１００、回路基板２００、電気絶縁体３００、金属製カバー４００、及び締付部品５００を備える。
本開示では、電気絶縁体３００、金属製カバー４００及び締付部品５００は、必要な部品でない場合もある。しかしながら、図１において上記部品を表示したのは、各部品間の相対位置を容易に説明するためである。
【００１３】
金属製ベース１００は、底板１１０、第１側板１２０、第２側板１３０、及び背面板１４０を含む。底板１１０は、第１面１１１、第２面１１２、及び縁面１１３を含む。第２面１１２は、第１面１１１と相対する。縁面１１３の２端部は、其々第１面１１１と第２面１１２につながる。縁面１１３は、第２面１１２から離れた第１側縁１１３ａを含み、底板１１０の全第１側縁１１３ａと第２面１１２は、第１距離Ｄ１だけ分離される（図３で示されたように）。
この実施形態では、底板１１０は、突出管部１１４及び第１位置決め構造部１１５を含む。突出管部１１４は、第１面１１１に結合される。第１位置決め構造部１１５は、第１面１１１に結合される。
【００１４】
第１側板１２０及び第２側板１３０は、第１面１１１の相対する２辺につながる。縁面１１３の延長面は、第１側板１２０の延長面と第２側板１３０の延長面の両方と交差する。
第１側板１２０は、互いに連接する第１壁部１２１及び第２壁部１２２を含み、第２側板１３０は、互いに連接する第１壁部１３１及び第２壁部１３２を含む。第１面１１１から突出する第１壁部１２１及び１３１の長さは、第１面１１１から突出する第２壁部１２２及び１３２の長さより短い。また、上記突出管部１１４は、２つの第２壁部１２２と１３２との間に配置される。
【００１５】
背面板１４０は、底板１１０に対し、第１側板１２０の第２壁部１２２と第２側板１３０の第２壁部１３２との間でつながっている。底板１１０、第１側板１２０、第２側板１３０及び背面板１４０で纏まって、凹部１５０を形成する。第１面１１１は、凹部１５０を形成する面の１つとなる。
この実施形態では、背面板１４０は、穴１４１を含むが、これに限定されない。他の実施形態では、第１側板１２０は、第１壁部１２１及び１３１を備えず、第２側板１３０は、第２壁部１２２及び１３２を備えず、背面板１４０は、穴１４１を含まない。この実施形態では、底板１１０、第１側板１２０、第２側板１３０及び背面板１４０は、１片体に一体形成される金属製構造体である。
【００１６】
凹部１５０内に配置される回路基板２００は、第３面２１０、第４面２２０及び側面２５０を含む。第４面２２０及び第３面２１０は、側面２５０の相対する２辺につながっている。第４面２２０は、底板１１０に対向する。この実施形態では、第３面２１０と第２面１１２は、第２距離Ｄ２だけ分離される（図３に示されたように）。第４面２２０と第２面１１２は、第３距離Ｄ３だけ分離され（図３に示されたように）、第１距離Ｄ１は、第３距離Ｄ３以下である。
この実施形態では、側面２５０は、第３面２１０と第４面２２０との間につながっていると共に、背面板１４０から離れて相対して対向する。側面２５０は、第３面２１０と交差する第２側縁２５１を含む。
【００１７】
第１電気接続部２３０及び第２電気接続部２４０が、回路基板２００の第３面２１０上に配置される。第１電気接続部２３０は、第２電気接続部２４０より側面２５０に近くする。
この実施形態では、第１電気接続部２３０は、２つの第１壁部１２１及び１３１間に配置され、第１電気接続部２３０と第１面１１１との間の距離は、第１面１１１から突出する２つの第１壁部１２１及び１３１の長さと略等しい。第２電気接続部２４０は、第２壁部１２２と第２壁部１３２との間に配置され、背面板１４０の穴１４１と対応する。即ち、穴１４１は、第２電気接続部２４０を露出させる。
この実施形態では、第１電気接続部２３０は、ユニバーサルシリアルバス（ＵＳＢ）を形成する複数の電極２３１を含む。第２電気接続部２４０は、ＵＳＢポートであるが、これに限定されない。他の実施形態では、回路基板２００は、第２電気接続部２４０を含まない、又は第２電気接続部２４０は、伝送ケーブル又は他の種類の電気接続ポート（例えば、メモリカードポート）である。
また、この実施形態又は幾つかの他の実施形態では、電気絶縁層、例えば絶縁性の取付層で、第１電気接続部２３０と第２電気接続部２４０の表面を除く、他の回路基板２００の表面を被覆する。
【００１８】
更に、回路基板２００は、第３面２１０と第４面２２０との間に形成された第１貫通孔２６０を含む。底板１１０の突出管部１１４は、水平方向での回路基板２００の移動を制限するために、回路基板２００の第１貫通孔２６０を通る。しかしながら、突出管部１１４と第１貫通孔２６０によって制限された回路基板２００の水平方向の移動は、例示にすぎず、これに限定されない。
他の実施形態では、信号伝送用コネクタ１０は、突出管部１１４又は第１貫通孔２６０を備えず、他の制限目的の組合せ（例えば、制限ブロック及び制限凹部）は、制限効果を適用するように配置される。
【００１９】
電気絶縁体３００は、閉塞部３１０及び結合部３２０を含む。閉塞部３１０は、結合部３２０に結合される。閉塞部３１０は、第１側板１２０と第２側板１３０との間に配置され、回路基板２００の側面２５０と対向する。閉塞部３１０は、第２面１１２に相対する上面３１１を含む。
【００２０】
この実施形態では、閉塞部３１０は、回路基板２００の側面２５０を完全に被覆する。即ち、閉塞部３１０の少なくとも一部は、第２側縁２５１と接触する。更に、上面３１１は、第３面２１０と同一平面上にあるが、これに限定されない。
他の実施形態では、上面３１１は、第３面２１０と同一平面上になく、回路基板２００の側面２５０の一部は露出される。結合部３２０の少なくとも一部は、第１面１１１と第４面２２０との間に配置される。結合部３２０は、少なくとも１つの第２位置決め構造部３２１を含む。第２位置決め構造部３２１は、電気絶縁体３００と底板１１０との相対位置を設定するための第１位置決め構造部１１５と、着脱可能に係合される。
【００２１】
この実施形態では、電気絶縁体３００は、閉塞部３１０と結合部３２０を含むが、同開示に限定されない。他の実施形態では、電気絶縁体３００は、密嵌又は座屈によって第１側板１２０と第２側板１３０との間に配置される閉塞部３１０のみを含む。
【００２２】
金属製カバー４００は、第２貫通孔４１０を含む。締付部品５００は、第２貫通孔４１０を通り、底板１１０の突出管部１１４に固着される。金属製カバー４００は、第２電気接続部２４０と凹部１５０の一部を被覆すると共に、第１電気接続部２３０を露出する。
【００２３】
しかしながら、上記電気絶縁体３００、突出管部１１４、各側壁及び背面板１４０は、選択的部品であり、同開示に限定されない。他の実施形態では、信号伝送用コネクタ１０は、電気絶縁体３００、突出管部１１４、各側壁及び背面板１４０を備えない。
【００２４】
図３及び図４を参照されたい。図４は、電気接続ポートに完全に差し込まれた状態の図１の信号伝送用コネクタに関する概略断面図である。
【００２５】
図３で示されたように、この実施形態の信号伝送用コネクタ１０は、電気接続ポート２０に完全には差し込まれていない。電気接続ポート２０は、第１電気接続部２３０に電気接続される複数の金属製可撓性シート２２を含む。製造者規格に基づいて、金属製可撓性シート２２と第２面１１２との間の第４距離Ｄ４（図３に示されたように）を、第２距離Ｄ２と第３距離Ｄ３との間にする。
この実施形態によると、第１側縁１１３ａと第２面１１２との間の距離Ｄ１は、第４面２２０と第２面１１２との間の第３距離Ｄ３以下である。確実に、信号伝送用コネクタ１０が電気接続ポート２０に差し込まれた際に、電気接続ポート２０の金属製可撓性シート２２は、金属製ベース１００と接触することなく、側縁１１３ａに存在する閉塞部３１０とのみ接触する。その結果、金属製可撓性シート２２が金属製ベース１００と電気的に接触することから生じる短絡が避けられる。
【００２６】
しかしながら、この実施形態では、電気接続ポートの各製造者規格に準拠するために、第１側縁１１３ａと第２面１１２との間の第１距離Ｄ１は、第４面２２０と第２面１１２との間の第３距離Ｄ３未満に設計されているが、これに限定されない。製造者が、金属製可撓性シート２２と第２面１１２との間の第４距離Ｄ４を意識している場合、第１側縁１１３ａと第２面１１２との間の第１距離Ｄ１は、第２距離Ｄ２と第３距離Ｄ３との間に設計される。第４距離Ｄ４が第１距離Ｄ１より長いだけで、金属製可撓性シート２２は、底板１１０と接触しなくなり、電気接続ポート２０の短絡を回避できる。
【００２７】
図５及び図６を参照されたい。図５は、本開示の第２実施形態による信号伝送用コネクタの概略分解図である。図６は、図５で組立てられた信号伝送用コネクタの概略断面図である。この実施形態の信号伝送用コネクタ１０の構成は、図１の信号伝送用コネクタ１０の構成と同様であるため、以下に相違点だけを記載する。
【００２８】
この実施形態の金属製ベース１００は、底板１１０、第１側板１２０、第２側板１３０、背面板１４０及び開口部１６０を含む。
【００２９】
底板１１０は、第１面１１１、第２面１１２及び縁面１１３を含む。第２面１１２は、第１面１１１と相対する。縁面１１３は、第１面１１１と第２面１１２との間につながっている。縁面１１３は、第２面１１２から離れて相対して対向する第１側縁１１３ａを含む。底板１１０の第１側縁１１３ａと第２面１１２は、第１距離Ｄ１だけ分離される（図６に示されたように）。
【００３０】
第１側板１２０及び第２側板１３０は、其々第１面１１１の相対する２辺につながっている。
【００３１】
背面板１４０は、底板１１０につながっていると共に、第１側板１２０の第２壁部１２２と第２側板１３０の第２壁部１３２との間につながっている。底板１１０、第１側板１２０、第２側板１３０及び背面板１４０は、纏まって凹部１５０を形成する。第１面１１１は、凹部１５０を形成する面の１つとなる。
【００３２】
開口部１６０及び背面板１４０は、凹部１５０の相対する２面となるように画成される。即ち、縁面１１３は、開口部１６０に位置する。開口部１６０は、側面２５０の少なくとも一部を露出する。この実施形態では、開口部１６０は、第２面１１２と相対する底面１６１を含む。底面１６１と第２面１１２は、第５距離Ｄ５だけ分離される。
【００３３】
回路基板２００は、凹部１５０内に配置される。回路基板２００は、第３面２１０、第４面２２０及び側面２５０を含む。第４面２２０及び第３面２１０は、回路基板２００の相対する２面である。第４面２２０は、底板１１０と対向する。この実施形態では、第３面２１０と第２面１１２は、第２距離Ｄ２だけ分離される（図６に示されたように）。第４面２２０と第２面１１２は、第３距離Ｄ３だけ分離される（図６に示されたように）。この実施形態では、第５距離Ｄ５は、第２距離Ｄ２未満で、且つ第３距離Ｄ３より大きい。
【００３４】
この実施形態及び幾つかの他の実施形態では、信号伝送用コネクタ１０は、電気絶縁体３００を更に備える。電気絶縁体３００は、開口部１６０上に配置され、電気絶縁体３００の少なくとも一部は、第１面１１１と第３面２１０との間に配置される。
また、この実施形態では、電気絶縁体３００は、上面３１１及び前面３１２を含む。電気絶縁体３００の上面３１１は、第３面２１０と同一面上にあり、前面３１２は、開口部１６０の縁面１１３と同一平面上にあり、縁面１１３と合致する。しかしながら、電気絶縁体３００は、係合ブロックと係合凹部との組合せ、接着又は密嵌によって、開口部１６０に配置されることもあるが、配置方法は、同開示に限定されない。
【００３５】
図７を参照されたい。図７は、本開示の第３実施形態による信号伝送用コネクタの概略断面図である。この実施形態における信号伝送用コネクタ１０の構成は、図５の信号伝送用コネクタ１０の構成と同様であるため、以下に相違点だけを記載する。この実施形態では、開口部１６０の底面１６１は、第１面１１１と同一平面上にある。
【００３６】
図８を参照されたい。図８は、本開示の第４実施形態による信号伝送用コネクタの概略断面図である。この実施形態における信号伝送用コネクタ１０’の構成は、図１の信号伝送用コネクタ１０の構成と同様である。信号伝送用コネクタ１０’と信号伝送用コネクタ１０との相違点は、図１の金属製ベース１００と電気絶縁体３００の構造が、１片体に一体化されて、この実施形態における電気絶縁ベース１００’を形成しており（図８に示されたように）、電気絶縁ベース１００’の材料は、電気絶縁材料（例えば、プラスチック）であることである。電気絶縁ベース１００’は、第３面２１０から離れて相対して対向する第５面１７０を含む。
この実施形態の信号伝送用コネクタ１０は、第５面１７０に取着された金属板６００を更に備える。しかしながら、同開示は、金属板６００が金属製ベース１００の第５面１７０に取着されるだけに限定されない。また、他の実施形態では、金属板は、他の隣接する側板（例えば、上記第１側板又は第２側板）も被覆する。
【００３７】
図９及び図１０を参照されたい。図９は、電子装置へと枢動された図１の信号伝送用コネクタの斜視図である。図１０は、電子装置へと枢動された図１の信号伝送用コネクタの斜視図である。上記電子装置３０は、携帯用ハードディスクドライブ又は携帯用エネルギー装置（例えば、携帯用エネルギーステーション）であるが、これらに限定されない。
電子装置３０は、そこに信号伝送用コネクタ１０が枢動される凹部３２を含む。図９に示されたように、信号伝送用コネクタ１０は、第１電気接続部２３０を露出するように、電子装置３０に対して枢動できる。図１０に示されたように、信号伝送用コネクタ１０は、凹部３２に収容され、第２電気接続部２４０を露出するように、電子装置３０に対して枢動できる。
【００３８】
上記実施形態では、第１側縁１１３ａの全部分は、第２距離Ｄ２未満、又は第３距離Ｄ３以下であるが、同開示に限定されない。他の実施形態では、第１側縁１１３ａの一部が、第２距離Ｄ２未満、又は第３距離Ｄ３以下である。図１１及び図１２を参照されたい。図１１は、本開示の第５実施形態による信号伝送用コネクタの概略分解図である。図１２は、本開示の第６実施形態による信号伝送用コネクタの概略分解図である。図１１の構成と図１２の構成は、図１の構成と同様であるため、以下に相違点だけを記載する。
【００３９】
図１１で示したように、第１側縁１１３ａと第２面１１２は、第３距離（即ち、図３のＤ３）以下である第１距離（即ち、図３のＤ１）だけ分離される。つまり、第１側縁１１３ａは、複数の線分を有する線分群（ｐｏｌｙｌｉｎｅ）であり、第１側縁１１３ａの一部の水平高さは、第３面２１０の水平高さより低く、第１側縁１１３ａの別の部分の水平高さは、第３面２１０の水平高さと等しい。
この実施形態では、水平高さが第３面２１０より低い第１側縁１１３ａの長さＬの最小値は、電極２３１の１つの幅Ｗと等しい。電極２３１は、正電極（Ｖｃｃ）である。このようにして、正電極（図３に示されたような）と電気接続ポート２０の可撓性シート２２との間での電気接続によって生じる短絡が避けられる。
【００４０】
図１２で示されたように、この実施形態における信号伝送用コネクタ１０は、金属製ベース１００上に配置される電気絶縁体３００を更に備える。第１側縁１１３ａでの電気絶縁体３００の水平高さは、露出する回路基板２００（即ち、回路基板２００の側面２５０）を被覆するために、第３面２１０の水平高さと等しい。更に、電気絶縁体３００は、係合ブロックと係合凹部の組合せ、接着又は密嵌によって、金属製ベース１００上に配置されるが、上記配置方法は、同開示に限定されない。
【００４１】
同開示の信号伝送用コネクタによると、金属製可撓性シートと第２面との間の距離は、第４面と第２面との間の距離より長く、第１側縁と第２面との間の距離は、第４面と第２面との間の距離以下である。確実に、信号伝送用コネクタが電気接続ポートに差し込まれた際に、電気接続ポートの金属製可撓性シートは、金属製ベースと接触せずに、電気絶縁体の側縁の閉塞部とのみ接触する。その結果、金属製可撓性シートが金属製ベースと電気的に接触することから生じる、電気接続ポートの短絡が避けられる。
【００４２】
また、可撓性シートと第２面との間の距離が既知の場合、第１側縁と第２面との間の第１距離が、第２距離と第３距離の間となるように、設計される。第４距離が、第１距離より長いだけで、金属製可撓性シートは金属製ベースと接触しなくなり、電気接続ポートの短絡を防ぐことができる。
【００４３】
更に、同開示では、信号伝送用コネクタのハウジングが、大部分金属製となるため、信号伝送用コネクタの品質は、消費者の購買意欲を高めるのに、一層良好になる。
【００４４】
同開示における上記信号伝送用コネクタによると、電気絶縁体が、回路基板の側面を被覆するように更に配置されるため、回路基板の側面が露出されるのを防止でき、その結果、信号伝送用コネクタの外観が良くなる。
【図１】
0003187731.tif 000003
【図２】
0003187731.tif 000004
【図３】
0003187731.tif 000005
【図４】
0003187731.tif 000006
【図５】
0003187731.tif 000007
【図６】
0003187731.tif 000008
【図７】
0003187731.tif 000009
【図８】
0003187731.tif 000010
【図９】
0003187731.tif 000011
【図１０】
0003187731.tif 000012
【図１１】
0003187731.tif 000013
【図１２】
0003187731.tif 000014